(57)【要約】【課題】患者の口腔内に装着される人工物の品質を保証または管理するサービスを実現するためのコンピュータシステムを提供すること。【解決手段】コンピュータシステム１０は、ネットワーク２０を介して、複数の端末装置３０に接続されるように構成されている。コンピュータシステム１０は、プロセッサ部５０とデータベース部６０とを含む。データベース部６０には、患者識別情報と患者識別情報に関連付けられた人工物材料特定情報とが記憶されている。プロセッサ部５０は、端末装置３０の読み出し手段によって電子タグから読み出された患者識別情報に関連付けられた人工物材料特定情報が端末装置３０の表示手段に表示されることを可能にするように構成されている。【選択図】図２Ａ
2016163689.tif 000002
【特許請求の範囲】
【請求項１】
患者の口腔内に装着される人工物の品質を保証または管理するサービスを実現するためのコンピュータシステムであって、前記コンピュータシステムは、ネットワークを介して、端末装置に接続されるように構成されており、
前記コンピュータシステムは、プロセッサ部とデータベース部とを含み、
前記データベース部には、患者識別情報と前記患者識別情報に関連付けられた人工物材料特定情報とが記憶されており、前記患者情報は、患者を識別するための情報であり、前記人工物材料特定情報は、前記患者の口腔内に装着される人工物の少なくとも一部の材料を特定するための情報であり、
前記患者識別情報が記憶された電子タグが前記患者の口腔内に装着された前記人工物に埋め込まれており、
前記端末装置は、前記電子タグに記憶された前記患者識別情報を読み出すための読み出し手段と、情報を表示するための表示手段とを含み、
前記プロセッサ部は、前記端末装置の前記読み出し手段によって読み出された前記患者識別情報に関連付けられた前記人工物材料特定情報が前記端末装置の前記表示手段に表示されることを可能にするように構成されている、コンピュータシステム。
【請求項２】
前記人工物は、少なくとも１つの部分を含み、
前記人工物材料特定情報は、前記人工物に含まれる前記少なくとも１つの部分のうちの少なくとも１つの部分の材料を特定するための部分材料特定情報を含み、
前記プロセッサ部は、前記部分材料特定情報が前記端末装置の前記表示手段に表示されることを可能にするように構成されている、請求項１に記載のコンピュータシステム。
【請求項３】
前記人工物は、フィクスチャーとアバットメントと補綴冠とを含むインプラントであり、
前記部分材料特定情報は、前記フィクスチャーの材料を特定するための情報、前記アバットメントの材料を特定するための情報、前記補綴冠の材料を特定するための情報のうちの少なくとも１つを含む、請求項２に記載のコンピュータシステム。
【請求項４】
前記部分材料特定情報は、前記部分の材料の名称と前記部分の材料のロットナンバーとを含む、請求項２に記載のコンピュータシステム。
【請求項５】
患者の口腔内に装着される人工物の品質を保証または管理するサービスを実現するためのコンピュータシステムにおいて実行される方法であって、前記コンピュータシステムは、ネットワークを介して、端末装置に接続されるように構成されており、前記コンピュータシステムは、プロセッサ部とデータベース部とを含み、前記データベース部には、患者識別情報と前記患者識別情報に関連付けられた人工物材料特定情報とが記憶されており、前記患者情報は、患者を識別するための情報であり、前記人工物材料特定情報は、前記患者の口腔内に装着される人工物の少なくとも一部の材料を特定するための情報であり、前記患者識別情報が記憶された電子タグが前記患者口腔内に装着された前記人工物に埋め込まれており、前記端末装置は、前記電子タグに記憶された前記患者識別情報を読み出すための読み出し手段と、情報を表示するための表示手段とを含み、
前記方法は、前記プロセッサ部が、前記端末装置の前記読み出し手段によって読み出された前記患者識別情報に関連付けられた前記人工物材料特定情報が前記端末装置の前記表示手段に表示されることを可能にすることを含む、方法。
【請求項６】
患者の口腔内に装着される人工物の品質を保証または管理するサービスを実現するためのコンピュータシステムにおいて実行されるプログラムであって、前記コンピュータシステムは、ネットワークを介して、端末装置に接続されるように構成されており、前記コンピュータシステムは、プロセッサ部とデータベース部とを含み、前記データベース部には、患者識別情報と前記患者識別情報に関連付けられた人工物材料特定情報とが記憶されており、前記患者情報は、患者を識別するための情報であり、前記人工物材料特定情報は、前記患者の口腔内に装着される人工物の少なくとも一部の材料を特定するための情報であり、前記患者識別情報が記憶された電子タグが前記患者の口腔内に装着された前記人工物に埋め込まれており、前記端末装置は、前記電子タグに記憶された前記患者識別情報を読み出すための読み出し手段と、情報を表示するための表示手段とを含み、
前記プログラムは、前記プロセッサ部によって実行されると、前記端末装置の前記読み出し手段によって読み出された前記患者識別情報に関連付けられた前記人工物材料特定情報が前記端末装置の前記表示手段に表示されることを可能にすることを前記プロセッサ部に行わせる、プログラム。
【発明の詳細な説明】
【技術分野】
【０００１】
本発明は、患者の口腔内に装着される人工物の品質を保証または管理するサービスを実現するためのコンピュータシステム、そのコンピュータシステムにおいて実行される方法およびプログラムに関する。
【背景技術】
【０００２】
従来から、電子タグを入れ歯に埋め込んでおき、その電子タグに記憶された情報に関連付けられた情報をデータベースに格納しておくという技術が知られている（例えば、特許文献１を参照）。しかしながら、上述した公知技術の目的は、入れ歯の持ち主を特定することであった。そのため、データベースに格納されるデータは、入れ歯の持ち主の個人情報に限定されていた。
【先行技術文献】
【特許文献】
【０００３】
【特許文献１】実用新案登録第３１３９６３５号
【発明の概要】
【発明が解決しようとする課題】
【０００４】
従来、患者の口腔内に装着される人工物の品質を保証または管理するサービスは存在しなかった。従って、患者の口腔内に装着される人工物の品質を保証または管理するサービスを実現するためのコンピュータシステムも存在しなかった。
【課題を解決するための手段】
【０００５】
本発明のコンピュータシステムは、患者の口腔内に装着される人工物の品質を保証または管理するサービスを実現するためのコンピュータシステムであって、前記コンピュータシステムは、ネットワークを介して、端末装置に接続されるように構成されており、前記コンピュータシステムは、プロセッサ部とデータベース部とを含み、前記データベース部には、患者識別情報と前記患者識別情報に関連付けられた人工物材料特定情報とが記憶されており、前記患者情報は、患者を識別するための情報であり、前記人工物材料特定情報は、前記患者の口腔内に装着された人工物の少なくとも一部の材料を特定するための情報であり、前記患者識別情報が記憶された電子タグが前記患者の口腔内に装着された前記人工物に埋め込まれており、前記端末装置は、前記電子タグに記憶された前記患者識別情報を読み出すための読み出し手段と、情報を表示するための表示手段とを含み、前記プロセッサ部は、前記端末装置の前記読み出し手段によって読み出された前記患者識別情報に関連付けられた前記人工物材料特定情報が前記端末装置の前記表示手段に表示されることを可能にするように構成されている。
【０００６】
前記人工物は、少なくとも１つの部分を含んでいてもよい。前記人工物材料特定情報は、前記人工物に含まれる前記少なくとも１つの部分のうちの少なくとも１つの部分の材料を特定するための部分材料特定情報を含んでいてもよい。前記プロセッサ部は、前記部分材料特定情報が前記端末装置の前記表示手段に表示されることを可能にするように構成されていてもよい。
【０００７】
前記人工物は、フィクスチャーとアバットメントと補綴冠とを含むインプラントであってもよい。前記部分材料特定情報は、前記フィクスチャーの材料を特定するための情報、前記アバットメントの材料を特定するための情報、前記補綴冠の材料を特定するための情報のうちの少なくとも１つを含んでいてもよい。
【０００８】
前記部分材料特定情報は、前記部分の材料の名称と前記部分の材料のロットナンバーとを含んでいてもよい。
【０００９】
本発明の方法は、患者の口腔内に装着される人工物の品質を保証または管理するサービスを実現するためのコンピュータシステムにおいて実行される方法であって、前記コンピュータシステムは、ネットワークを介して、端末装置に接続されるように構成されており、前記コンピュータシステムは、プロセッサ部とデータベース部とを含み、前記データベース部には、患者識別情報と前記患者識別情報に関連付けられた人工物材料特定情報とが記憶されており、前記患者情報は、患者を識別するための情報であり、前記人工物材料特定情報は、前記患者の口腔内に装着された人工物の少なくとも一部の材料を特定するための情報であり、前記患者識別情報が記憶された電子タグが前記患者の口腔内に装着された前記人工物に埋め込まれており、前記端末装置は、前記電子タグに記憶された前記患者識別情報を読み出すための読み出し手段と、情報を表示するための表示手段とを含み、前記方法は、前記プロセッサ部が、前記端末装置の前記読み出し手段によって読み出された前記患者識別情報に関連付けられた前記人工物材料特定情報が前記端末装置の前記表示手段に表示されることを可能にすることを含む。
【００１０】
本発明のプログラムは、患者の口腔内に装着される人工物の品質を保証または管理するサービスを実現するためのコンピュータシステムにおいて実行されるプログラムであって、前記コンピュータシステムは、ネットワークを介して、端末装置に接続されるように構成されており、前記コンピュータシステムは、プロセッサ部とデータベース部とを含み、前記データベース部には、患者識別情報と前記患者識別情報に関連付けられた人工物材料特定情報とが記憶されており、前記患者情報は、患者を識別するための情報であり、前記人工物材料特定情報は、前記患者の口腔内に装着された人工物の少なくとも一部の材料を特定するための情報であり、前記患者識別情報が記憶された電子タグが前記患者の口腔内に装着された前記人工物に埋め込まれており、前記端末装置は、前記電子タグに記憶された前記患者識別情報を読み出すための読み出し手段と、情報を表示するための表示手段とを含み、前記プログラムは、前記プロセッサ部によって実行されると、前記端末装置の前記読み出し手段によって読み出された前記患者識別情報に関連付けられた前記人工物材料特定情報が前記端末装置の前記表示手段に表示されることを可能にすることを前記プロセッサ部に行わせる。
【発明の効果】
【００１１】
本発明によれば、患者の口腔内に装着される人工物の品質を保証または管理するサービスを実現するためのコンピュータシステム、そのコンピュータシステムにおいて実行される方法およびプログラムを提供することが可能になる。
【図面の簡単な説明】
【００１２】
【図１】インプラントの品質を保証または管理するという新しいサービスのためのビジネスモデルのフローを示す図
【図２Ａ】新しいサービスを実現するためのコンピュータシステム１０の構成の一例を示す図
【図２Ｂ】端末装置３０の構成の一例を示す図
【図３Ａ】電子タグ７０の外観を示す図
【図３Ｂ】電子タグ７０が患者のインプラントの補綴冠７１に埋め込まれている様子を示す図
【図４】人工物品質管理データベース部６２によって管理されている人工物品質管理情報の構成の一例を示す図
【図５】インプラントのタイプを示す図
【図６Ａ】インプラントのタイプがタイプＡである場合における人工物材料特定情報６０１２の構成の一例を示す図
【図６Ｂ】図６Ａに示される人工物材料特定情報６０１２の各部分に当該部分の材料の名称および当該部分の材料のロットナンバーが設定された一例を示す図
【図６Ｃ】インプラントのタイプがタイプＤである場合における人工物材料特定情報６０１２の構成の一例を示す図
【図６Ｄ】図６Ｃに示される人工物材料特定情報６０１２の各部分に当該部分の材料の名称および当該部分の材料のロットナンバーが設定された一例を示す図
【図７】コンピュータシステム１０によって実行される処理の手順の一例を示す図
【発明を実施するための形態】
【００１３】
以下、図面を参照しながら、本発明の実施の形態を説明する。
１．患者の口腔内に装着される人工物の品質を保証または管理するという新しいサービス
出願人は、患者の口腔内に装着される人工物の品質を保証または管理するという新しいサービスのためのビジネスモデルを提案する。以下に説明する実施形態では、患者の口腔内に装着される人工物の一例であるインプラントを例にとり、インプラントの品質を保証または管理するという新しいサービスのためのビジネスモデルを説明する。ただし、品質を保証または管理する対象である人工物は、インプラントに限定されない。品質を保証または管理する対象である人工物は、インプラントを構成する任意の構成要素であってもよい。あるいは、品質を保証または管理する対象である人工物は、インプラント以外の患者の口腔内に装着される任意の人工物（例えば、入れ歯（有床義歯）、差し歯、ブリッジなどの義歯、義歯を構成する任意の構成要素、歯列矯正装置、歯列矯正用アライナー、歯列咬合用アライナーなどの歯科用器具、歯科用器具を構成する任意の構成要素、インプラントガイド（手術用ガイド）、インプラントガイド（手術用ガイド）を構成する任意の構成要素であってもよい。このように、この新しいサービスのためのビジネスモデルは、患者の口腔内に装着される任意の人工物の品質を保証または管理するために適用することが可能である。ここで、本願明細書では、「人工物の品質を保証または管理する」とは、人工物の品質を保証すること、および、人工物の品質を管理することのうちの少なくとも一方を行うことをいうものとする。
【００１４】
図１は、インプラントの品質を保証または管理するという新しいサービスのためのビジネスモデルのフローを示す。
【００１５】
ステップＳ１：歯科医は、患者に対して歯の診断を行う。その結果、その患者に対してインプラントの施術を行うことが適切であると判断した場合には、どのようなインプラントを用いるかを決定する。インプラントは、一般に、個々の患者の歯に合わせて製作されることが必要とされない部分（例えば、フィクスチャー）と、個々の患者の歯に合わせて製作されることが必要とされる部分（例えば、アバットメントの少なくとも一部および／または補綴冠の少なくとも一部）とを含む。歯科医は、個々の患者の歯に合わせて製作されることが必要とされない部分については、その部分に相当する製品（市販品）を自分でメーカーに注文することが可能であるが、個々の患者の歯に合わせて製作されることが必要とされる部分については、その部分の製作を歯科技工所に依頼することが多い。
【００１６】
ステップＳ２：歯科医は、個々の患者の歯に合わせて製作されることが必要とされる部分の製作を歯科技工所に依頼する。この依頼の際に、製作されるべき部分の詳細に記載したものが技工指示書である。技工指示書には、通常、製作されるべき部分を石膏で製作したもの（すなわち、石膏型）、または、患者の口腔内を撮影することによって得られた画像データ（例えば、特殊なカメラで患者の口腔内を様々な角度から撮影することによって得られた画像データ）などが添付される。
【００１７】
ステップＳ３：歯科技工所は、歯科医からの技工指示書に従って、個々の患者の歯に合わせて製作されることが必要とされる部分を製作する。一般に、個々の患者の歯に合わせて製作されることが必要とされる部分を製作するためには、その部分の設計データ（例えば、ＣＡＤデータ）を作成する工程と、そのような設計データに従って材料を加工することによって半製品を製作する工程と、その半製品に対して調整や表面加工などを行うことによって技工指示書どおりの製品に仕上げる工程とが必要とされる。歯科技工所は、設計データ（例えば、ＣＡＤデータ）を作成した後、設計データ（例えば、ＣＡＤデータ）に従って材料を加工することによって半製品を製作する工程を加工業者に委託することが多い。
【００１８】
ステップＳ４：加工業者は、歯科技工所からの設計データ（例えば、ＣＡＤデータ）に従って材料を加工することによって半製品を製作する。このような半製品の製作は、例えば、ＣＡＭ装置や３Ｄプリンターなどの適切な機械を用いて行うことが可能である。加工業者は、製作した半製品を歯科技工所に納入する。
【００１９】
ステップＳ５：歯科技工所は、加工業者から納入された半製品に対して調整や表面加工などを行うことによって技工指示書どおりの製品に仕上げる。例えば、歯科技工所は、半製品に対して、１）調整、２）調整後、強度を高める焼結処理、３）形態修正し歯の機能の付与、４）表面研磨、５）形態、咬合の微調整、６）洗浄を行う。なお、２）と３）との間に、ガラスセラミック材料を用いてべニアリングを行い形態と審美性の再現を行うようにしてもよい。歯科技工所は、技工指示書どおりに仕上げられた製品を歯科医に納入する。
【００２０】
ステップＳ６：歯科医は、患者に対してインプラントの施術を行う。インプラントの施術は、歯科医が自分でメーカーに注文して購入した製品（市販品）と、歯科医が歯科技工所に製作を依頼しその依頼に応じて歯科技工所から納入された製品とを用いて行われる。
【００２１】
このように、歯科医によって最終的に患者に施術されるインプラントには、様々な材料の部分が含まれることになる。インプラントの各部分に用いられる材料としては、例えば、歯科医が購入した製品（市販品）の材料、歯科技工所が加工業者によって製作された半製品を製品として完成させるために用いた材料、加工業者が半製品を製作するために加工に用いた材料などがある。
【００２２】
従来、患者の口腔内に装着される人工物の各部分に用いられる様々な材料の品質を保証または管理するサービスは存在しなかった。そのため、患者の口腔内に装着される人工物の全体の品質を保証または管理するサービスもまた存在しなかった。
【００２３】
出願人が提案するビジネスモデルは、患者の口腔内に装着される人工物の各部分に携わるそれぞれの者（例えば、歯科医、歯科技工所の担当者、加工業者の担当者）が、患者の口腔内に装着される人工物の各部分の材料を特定するための情報を入力することを可能とし、そのように入力された情報をその人工物を口腔内に装着された患者に関連付けてクラウド（例えば、遠隔サーバ上のデータベース）に格納することを可能にするソフトウェアおよびそのソフトウェアを実装するシステムを提供することによって、患者の口腔内に装着される人工物の品質を保証または管理するという新しいサービスを実現するという画期的な発想に基づいている。
【００２４】
例えば、図１に示される例では、歯科医が患者に対してインプラントを施術する際に、歯科医が購入した製品（市販品）の材料を特定するための情報（材料特定情報１）、歯科技工所が加工業者によって製作された半製品を完成品させるために用いた材料を特定するための情報（材料特定情報２）、加工業者が半製品を製作するために加工に用いた材料を特定するための情報（材料特定情報３）のうちの少なくとも１つが、端末装置を介して入力される。もちろん、材料特定情報１〜３のすべてが端末装置を介して入力されることが好ましいが、材料特定情報１〜３うちのいずれもが端末装置を介して入力されないよりは材料特定情報１〜３のうちの少なくとも１つが端末装置を介して入力される方が好ましい。端末装置を介して入力された材料特定情報１〜３のうちの少なくとも１つは、インプラントが施術された患者に関連付けてクラウド（例えば、遠隔サーバ上のデータベース）に格納される。ここで、このビジネスモデルでは、歯科医、歯科技工所の担当者、加工業者の担当者のうちの誰が材料特定情報１〜３を入力するのかは問わないものとする。歯科医が材料特定情報１〜３のすべてを入力するようにしてもよい。あるいは、歯科医が材料特定情報１を入力し、歯科技工所の担当者が材料特定情報２を入力し、加工業者の担当者が材料特定情報３を入力するようにしてもよい。歯科医、歯科技工所の担当者、加工業者の担当者のうちの誰が何を入力するのかは、当事者間の話し合いで予め決めておくものとする。材料特定情報１〜３のそれぞれは、例えば、材料の名称と材料のロットナンバーとを含む。
【００２５】
このようにして、材料特定情報１〜３のうちの少なくとも１つをデータベースに格納しておくことにより、インプラントの特定の部分に用いられる材料を明確にすることが可能になる。また、材料特定情報１〜３のうちのすべてをデータベースに格納しておくことにより、インプラントのすべての部分に用いられる材料を明確にすることが可能になる。その結果、インプラントの部分または全体の品質を保証または管理することが可能になる。
【００２６】
同様に、患者の口腔内に装着される人工物の特定の部分の材料を特定する情報をデータベースに格納しておくことにより、患者の口腔内に装着される人工物の特定の部分に用いられる材料を明確にすることが可能になる。また、患者の口腔内に装着される人工物のすべての部分の材料を特定する情報をデータベースに格納しておくことにより、患者の口腔内に装着される人工物のすべての部分に用いられる材料を明確にすることが可能になる。その結果、患者の口腔内に装着される人工物の部分または全体の品質を保証または管理することが可能になる。
【００２７】
さらに、歯科医を特定するための情報（例えば、歯科医院の名称、歯科医の氏名など）、歯科技工所を特定するための情報（例えば、歯科技工所の名称、歯科技工所の担当者の氏名など）、加工業者を特定するための情報（例えば、加工業者の名称、加工業者の担当者の氏名など）のうちの少なくとも１つをデータベースに格納しておくようにしてもよい。これにより、インプラントの部分または全体の製作に携わった関係者を明確にすることが可能になる。その結果、歯科医、歯科技工所、加工業者のうちの少なくとも１つの名声や評判等によってインプラントの部分または全体の品質を保証または管理することが可能になる。
【００２８】
同様に、患者の口腔内に装着される人工物の部分または全体の製作に携わった関係者を特定するための情報をデータベースに格納しておくようにしてもよい。これにより、患者の口腔内に装着される人工物の部分または全体の製作に携わった関係者を明確にすることが可能になる。その結果、そのような関係者の名声や評判等によって患者の口腔内に装着される人工物の部分または全体の品質を保証または管理することが可能になる。
【００２９】
２．新しいサービスを実現するためのコンピュータシステムの構成
図２Ａは、新しいサービスを実現するためのコンピュータシステム１０の構成の一例を示す。
【００３０】
コンピュータシステム１０は、インターネット２０を介して、複数の端末装置３０に接続することが可能なように構成されている。コンピュータシステム１０は、複数の端末装置３０に対して遠隔サーバとして機能する。複数の端末装置３０のそれぞれは、インターネット２０を介してコンピュータシステム１０と通信することが可能な任意の装置であり得る。端末装置３０は、例えば、歯科医、歯科技工所の担当者、加工業者の担当者のうちの少なくとも一人によって操作されることが可能である。
【００３１】
コンピュータシステム１０は、インターフェース部４０とプロセッサ部５０とデータベース部６０とメモリ部６５とを含む。
【００３２】
インターフェース部４０は、複数の端末装置３０との通信との通信を制御する。
【００３３】
プロセッサ部５０は、コンピュータシステム１０の全体の動作を制御するために、インターフェース部４０とデータベース部６０とメモリ部６５とに結合されている。
【００３４】
データベース部６０は、個々の患者を管理するための患者管理データベース６１と、患者の口腔内に装着される人工物（例えば、インプラント）の少なくとも一部の品質を管理するための人工物品質管理データベース６２とを含む。データベース部６０は、遠隔サーバ上のデータベース（いわゆる「クラウド」）として機能する。
【００３５】
メモリ部６５には、プロセッサ部５０によって実行されるプログラムやプログラムの実行に必要とされるデータ等が格納されている。
【００３６】
患者管理データベース６１は、各患者について、患者の個人情報を管理するためのものである。患者管理データベース６１には、患者を識別するための情報（すなわち、「患者識別情報」）、患者の個人情報などが維持されている。患者の個人情報は、例えば、患者名、性別、住所、電話番号、生年月日のうちの少なくとも１つを含む。
【００３７】
人工物品質管理データベース６２は、各患者について、患者の口腔内に装着された人工物（例えば、インプラント）の少なくとも一部の品質を管理するための情報（すなわち、「人工物品質管理情報」）などを管理するためのものである。人工物品質管理データベース６２には、患者識別情報、人工物品質管理情報などが維持されている。
【００３８】
なお、図２Ａに示されるインターフェース部４０、プロセッサ部５０、データベース部６０、メモリ部６５のそれぞれの構成要素は、単一のハードウェア部品で構成されてもよいし、複数のハードウェア部品で構成されてもよい。コンピュータシステム１０の構成は、特定のハードウェア構成には限定されない。
【００３９】
また、図２Ａに示される実施の形態では、コンピュータシステム１０と複数の端末装置３０とは、インターネット２０を介して接続されることが可能であるとしたが、本発明はこれに限定されない。インターネット２０の代わりに任意のタイプのネットワークを用いることも可能である。
【００４０】
図２Ｂは、端末装置３０の構成の一例を示す。端末装置３０は、電子タグ７０に記憶された患者識別情報を読み出すための読み出し手段３１と、情報を表示するための表示手段３２とを含む。読み出し手段３１の一例は、「接触型」のスキャナ装置または「非接触型」のスキャナ装置であるがこれに限定されない。電子タグ７０に記憶された患者識別情報を読み取ることが可能である限り、読み出し手段３１は、任意のタイプの装置であり得る。ただし、読み出し手段３１としては、電子タグ７０から０．５ｍｍ〜１．０ｍｍくらいの距離に電子タグ７０を近づけないと反応しないようなタイプの読み出し手段を用いることが好ましい。電子タグ７０に記憶された患者識別情報の漏洩を防止し、電子タグ７０に記憶された患者識別情報に関連付けられた情報の漏洩を防止するためである。
【００４１】
図３Ａは、電子タグ７０の外観を示す。電子タグ７０には、患者識別情報が記憶されている。電子タグ７０は、例えば、患者の口腔内に装着された人工物の一部（例えば、インプラントの補綴冠）に埋め込まれることが可能であるが、これに限定されない。電子タグ７０は、患者の口腔内に装着された人工物の任意の部位または患者の歯の任意の部位に埋め込まれることが可能である。なお、電子タグ７０の一例は、ＲＦＩＤタグであるがこれに限定されない。
【００４２】
図３Ｂは、電子タグ７０が患者のインプラントの補綴冠７１に埋め込まれている様子を示す。図３Ｂに示される例では、歯の色との対比が特徴的な色（例えば、赤色、青色、緑色など）が付された部分（以下、「色部分」という）７２がインプラントの補綴冠７１に存在している。図３Ｂに示される例では、電子タグ７０が色部分７２の後ろに隠れるように電子タグ７０が患者のインプラントの補綴冠７１に埋め込まれている。言い換えると、インプラントの補綴冠７１に埋め込まれた電子タグ７０を色部分７２が覆うことにより電子タグ７０が見えなくなるような位置に色部分７２が形成されている（ここで、電子タグ７０は見えないため、破線で示されている）。インプラントの補綴冠７１のいくつかの面のうち色部分７２を有する面は、口腔の内側を向くように配列される。あるいは、色部分７２の代わりに、透明な部分が電子タグ７０を覆うようにしてもよい。
【００４３】
図４は、人工物品質管理データベース部６２によって管理されている人工物品質管理情報の構成の一例を示す。図４に示される例では、人工物品質管理情報は、人工物品質管理レコードの形式で人工物品質管理データベース６２内に格納されている。図４に示される例では、人工物品質管理レコード６０１は、患者識別情報６０１１と、人工物材料特定情報６０１２とを少なくとも含む。人工物材料特定情報６０１２は、患者の口腔内に装着される人工物（例えば、インプラント）に含まれる少なくとも１つの部分の材料を特定するための部分材料特定情報をさらに含んでいてもよい。
【００４４】
図５は、インプラントのタイプを示す。インプラントのタイプは、図５に示されるものには限定されないが、例えば、図５に示されるように、タイプＡのインプラント、タイプＢのインプラント、タイプＣのインプラント、タイプＤのインプラントが少なくとも存在する。
【００４５】
タイプＡのインプラントは、フィクスチャーとアバットメントの基部とアバットメントの上部と補綴冠とから構成されるタイプのインプラントである。アバットメントの基部は、患者の歯に合わせて製作されることが必要とされない部分（市販品）である。アバットメントの上部は、患者の歯に合わせて製作されることが必要とされる部分である。さらに、アバットメントの上部は、特定の材料（例えば、ガラスセラミック材料）を用いて表面処理されることが必要とされるものとする。
【００４６】
タイプＢのインプラントは、フィクスチャーとアバットメントの基部との係合の態様を除いて、タイプＡのインプラントと同様である。
【００４７】
タイプＣのインプラントは、フィクスチャーとアバットメントの基部との係合の態様およびアバットメントの基部とアバットメントの上部との係合の態様を除いて、タイプＡのインプラントと同様である。
【００４８】
タイプＤのインプラントは、フィクスチャーとアバットメントの基部と補綴冠とから構成されるタイプのインプラントである。アバットメントの基部は、患者の歯に合わせて製作されることが必要とされない部分（市販品）である。補綴冠は、患者の歯に合わせて製作されることが必要とされる部分である。
【００４９】
図６Ａは、インプラントのタイプがタイプＡである場合における人工物材料特定情報６０１２の構成の一例を示す。図６Ａに示される例では、人工物材料特定情報６０１２は、患者の口腔内に装着される人工物のタイプを示す情報６０１２ａと、フィクスチャーの材料を特定するための情報６０１２ｂ（部分材料特定情報１）と、アバットメントの基部の材料を特定するための情報６０１２ｃ（部分材料特定情報２）と、アバットメントの上部の材料を特定するための情報６０１２ｄ（部分材料特定情報３）と、アバットメントの上部の表面加工に用いられる材料を特定するための情報６０１２ｅ（部分材料特定情報４）と、補綴冠の材料を特定するための情報６０１２ｆ（部分材料特定情報５）とを含む。部分材料特定情報１〜５の少なくとも１つは、当該部分の材料の名称と当該部分の材料のロットナンバーとを含んでいてよい。
【００５０】
例えば、図５に示されるタイプＡのインプラントにおいて、フィクスチャーの材料が”チタニウム”であり、フィクスチャーの材料のロットナンバーが”＃８６８８”であり、アバットメントの基部の材料が”チタニウム”であり、アバットメントの基部の材料のロットナンバーが”＃８７７７”であり、アバットメントの上部の材料が”酸化ジルコニウム”であり、アバットメントの上部の材料のロットナンバーが”＃１３２２”であり、アバットメントの上部の表面処理に用いられる材料が”ガラスセラミック材料”であり、アバットメントの上部の表面処理に用いられる材料のロットナンバーが”＃９８６６”であり、補綴冠の材料が”酸化ジルコニウム”であり、補綴冠の材料のロットナンバーが”＃１４４８”であるものと仮定する。この場合には、端末装置３０を介して当該部分の材料の名称および当該部分の材料のロットナンバーが入力されることにより、図６Ａに示される人工物材料特定情報６０１２の各部分（すなわち、部分材料特定情報１〜５の各々）に、当該部分の材料の名称および当該部分の材料のロットナンバーが設定されることになる。
【００５１】
図６Ｂは、図６Ａに示される人工物材料特定情報６０１２の各部分（すなわち、部分材料特定情報１〜５の各々）に当該部分の材料の名称および当該部分の材料のロットナンバーが設定された一例を示す。これらの材料の名称および／または材料のロットナンバーが、数値や記号やコードなどを用いて設定されることが可能であることはもちろんである。
【００５２】
インプラントのタイプがタイプＢである場合における人工物材料特定情報６０１２の構成の一例およびインプラントのタイプがタイプＣである場合における人工物材料特定情報６０１２の構成の一例は、図６Ａを参照して上述したインプラントのタイプがタイプＡである場合における人工物材料特定情報６０１２の構成の一例と同様であるので、ここでは、その説明を省略する。
【００５３】
図６Ｃは、インプラントのタイプがタイプＤである場合における人工物材料特定情報６０１２の構成の一例を示す。図６Ｃに示される例では、人工物材料特定情報６０１２は、患者の口腔内に装着される人工物のタイプを示す情報６０１２ａと、フィクスチャーの材料を特定するための情報６０１２ｂ（部分材料特定情報１）と、アバットメントの基部の材料を特定するための情報６０１２ｃ（部分材料特定情報２）と、補綴冠の材料を特定するための情報６０１２ｆ（部分材料特定情報５）とを含む。部分材料特定情報１、２、５の少なくとも１つは、当該部分の材料の名称と当該部分の材料のロットナンバーとを含んでいてよい。
【００５４】
例えば、図５に示されるタイプＤのインプラントにおいて、フィクスチャーの材料が”チタニウム”であり、フィクスチャーの材料のロットナンバーが”＃８６９０”であり、アバットメントの基部の材料が”チタニウム”であり、アバットメントの基部の材料のロットナンバーが”＃８７８８”であり、補綴冠の材料が”酸化ジルコニウム”であり、補綴冠の材料のロットナンバーが”＃１４６５”であるものと仮定する。この場合には、端末装置３０を介して当該部分の材料の名称および当該部分の材料のロットナンバーが入力されることにより、図６Ｃに示される人工物材料特定情報６０１２の各部分（すなわち、部分材料特定情報１〜５の各々）に、当該部分の材料の名称および当該部分の材料のロットナンバーが設定されることになる。
【００５５】
図６Ｄは、図６Ｃに示される人工物材料特定情報６０１２の各部分（すなわち、部分材料特定情報１、２、５の各々）に当該部分の材料の名称および当該部分の材料のロットナンバーが設定された一例を示す。これらの材料の名称および／または材料のロットナンバーが、数値や記号やコードなどを用いて設定されることが可能であることはもちろんである。
【００５６】
このようにして、部分材料特定情報１〜５のうちの少なくとも１つを人工物品質管理データベース６２に格納しておくことにより、インプラントの特定の部分に用いられる材料を明確にすることが可能になる。また、部分材料特定情報１〜５のうちのすべてを人工物品質管理データベース６２に格納しておくことにより、インプラントのすべての部分に用いられる材料を明確にすることが可能になる。その結果、インプラントの部分または全体の品質を保証または管理することが可能になる。
【００５７】
同様に、患者の口腔内に装着される人工物の特定の部分の材料を特定する情報を人工物品質管理データベース６２に格納しておくことにより、患者の口腔内に装着される人工物の特定の部分に用いられる材料を明確にすることが可能になる。また、患者の口腔内に装着される人工物のすべての部分の材料を特定する情報を人工物品質管理データベース６２に格納しておくことにより、患者の口腔内に装着される人工物のすべての部分に用いられる材料を明確にすることが可能になる。その結果、患者の口腔内に装着される人工物の部分または全体の品質を保証または管理することが可能になる。
【００５８】
さらに、人工物材料特定情報６０１２は、歯科医を特定するための情報、歯科技工所を特定するための情報、加工業者を特定するための情報のうちの少なくとも１つをさらに含むようにしてもよい。
【００５９】
歯科医を特定するための情報は、例えば、歯科医院の名称、歯科医の氏名、歯科医院の住所、補綴冠セット日、治療部位、症例ＩＤ（カルテ番号）のうちの少なくとも１つを含む。歯科技工所を特定するための情報は、例えば、歯科技工所の名称、歯科技工所の担当者の氏名、歯科技工所の住所のうちの少なくとも１つを含む。加工業者を特定するための情報は、例えば、加工業者の名称、加工業者の担当者の氏名、加工業者の住所のうちの少なくとも１つを含む。
【００６０】
このようにして、歯科医を特定するための情報、歯科技工所を特定するための情報、加工業者を特定するための情報のうちの少なくとも１つを人工物品質管理データベース６２に格納しておくようにしてもよい。これにより、インプラントの部分または全体の製作に携わった関係者を明確にすることが可能になる。その結果、歯科医、歯科技工所、加工業者のうちの少なくとも１つの名声や評判等によってインプラントの部分または全体の品質を保証または管理することが可能になる。
【００６１】
同様に、患者の口腔内に装着される人工物の部分または全体の製作に携わった関係者を特定するための情報を人工物品質管理データベース６２に格納しておくようにしてもよい。これにより、患者の口腔内に装着される人工物の部分または全体の製作に携わった関係者を明確にすることが可能になる。その結果、そのような関係者の名声や評判等によって患者の口腔内に装着される人工物の部分または全体の品質を保証または管理することが可能になる。
【００６２】
３．コンピュータシステムの処理
図７は、コンピュータシステム１０（すなわち、コンピュータシステム１０のプロセッサ部５０）によって実行される処理の手順の一例を示す。この処理は、患者のインプラントに埋め込まれた電子タグ７０に記憶された患者識別情報を読み出し、患者識別情報に関連付けられた人工物材料特定情報６０１２を人工物品質管理データベース６２から取り出し、取り出された人工物材料特定情報を端末装置３０の表示手段３２に表示するための処理である。この処理は、例えば、プログラムの形式でコンピュータシステム１０内のメモリ部６５に格納されている。プロセッサ部５０は、メモリ部６５に格納されているプログラムを読み出し、そのプログラムを実行することが可能である。
【００６３】
以下、図７に示される処理の各ステップを説明する。
【００６４】
ステップＳ７０１０：プロセッサ部５０は、電子タグ７０から読み出された患者識別情報をネットワーク２０およびインターフェース部４０を介して受信する。
【００６５】
電子タグ７０に記憶された患者識別情報の読み出しは、例えば、歯科医が、端末装置３０の読み出し手段３１（例えば、スキャナ装置）を操作して、その読み出し手段３１を患者のインプラントの特定の部位または患者の歯の特定の部位に近づけることによって達成される。ここで、その特定の部位またはその特定の部位の近傍に患者識別情報が記憶された電子タグ７０が埋め込まれているものとする。読み出し手段３１によって読み出された患者識別情報は、ネットワーク２０を介してコンピュータシステム１０に送信される。コンピュータシステム１０によって受信された患者識別情報は、インターフェース部４０を介してプロセッサ部５０に伝達される。このようにして、プロセッサ部５０は、電子タグ７０から読み出された患者識別情報をネットワーク２０およびインターフェース部４０を介して受信することが可能である。
【００６６】
ステップＳ７０２０：プロセッサ部５０は、読み出し手段３１によって読み出された患者識別情報を検索キーとして人工物品質管理データベース６２を検索することにより、患者識別情報に関連付けられた人工物材料特定情報６０１２を人工物品質管理データベース６２から取り出す。
【００６７】
ステップＳ７０３０：プロセッサ部５０は、人工物品質管理データベース６２から取り出された人工物材料特定情報６０１２が端末装置３０の表示手段３２に表示されることを可能にするようにコンピュータシステム１０を制御する。その結果、人工物品質管理データベース６２から取り出された人工物材料特定情報６０１２は、インターフェース部４０およびネットワーク２０を介して端末装置３０に送信される。端末装置３０は、人工物材料特定情報６０１２を受信し、それを表示手段３２に表示する。
【００６８】
図６Ａ〜図６Ｄを参照して上述したように、人工物材料特定情報６０１２は、インプラントを構成する少なくとも１つの部分の材料を特定するための情報を含む。このような情報を端末装置３０の表示手段３２に表示することによって、インプラントを構成する少なくとも１つの部分の材料を明確にすることが可能になる。その結果、インプラントの部分または全体の品質を保証または管理することが可能になる。
【００６９】
同様に、人工物材料特定情報６０１２は、患者の口腔内に装着される人工物を構成する少なくとも１つの部分の材料を特定するための情報を含むことが可能である。このような情報を端末装置３０の表示手段３２に表示することによって、患者の口腔内に装着される人工物を構成する少なくとも１つの部分の材料を明確にすることが可能になる。その結果、患者の口腔内に装着される人工物の部分または全体の品質を保証または管理することが可能になる。
【００７０】
さらに、上述したように、人工物材料特定情報６０１２は、歯科医を特定するための情報、歯科技工所を特定するための情報、加工業者を特定するための情報のうちの少なくとも１つをさらに含むようにしてもよい。このような情報を端末装置３０の表示手段３２に表示することによって、インプラントの部分または全体の製作に携わった関係者を明確にすることが可能になる。その結果、歯科医、歯科技工所、加工業者のうちの少なくとも１つの名声や評判等によってインプラントの部分または全体の品質を保証または管理することが可能になる。
【００７１】
同様に、人工物材料特定情報６０１２は、患者の口腔内に装着される人工物の部分または全体の製作に携わった関係者を特定するための情報をさらに含むようにしてもよい。このような情報を端末装置３０の表示手段３２に表示することによって、患者の口腔内に装着される人工物の部分または全体の製作に携わった関係者を明確にすることが可能になる。その結果、そのような関係者の名声や評判等によって患者の口腔内に装着される人工物の部分または全体の品質を保証または管理することが可能になる。
【００７２】
なお、患者管理データベース６１および／または人工物品質管理データベース６２内に格納されている個々の情報に対してアクセスレベルを設定することによって、個々の情報に対するアクセスに制限を課すことも可能である。例えば、歯医者はすべての情報にアクセスすることが可能であるが、歯医者以外の者は特定の情報へのアクセスが制限されるというように個々の情報に対するアクセスレベルを設定するようにしてもよい。
【００７３】
また、患者の口腔内に装着される人工物（例えば、インプラント）用の材料に不具合が発見された場合に、その材料を用いた部分を含む人工物を口腔内に装着された患者をコンピュータシステム１０を用いて特定することも可能である。これにより、患者の口腔内に装着される人工物用の材料の不具合が発生した場合にその不具合が発生した材料が用いられた製品のリコールに対処することが可能になる。具体的には、端末装置３０から入力されたロットナンバー（不具合が発見された人工物用の材料のロットナンバー）を検索キーとして人工物品質管理データベース６２を検索することにより、端末装置３０から入力されたロットナンバーに関連付けられた患者識別情報６０１１を人工物品質管理データベース６２から取り出すことが可能である。このようにして人工物品質管理データベース６２から取り出された患者識別情報６０１１を検索キーとして患者管理データベース６１を検索することにより、患者識別情報６０１１に関連付けられた患者の個人情報を患者管理データベース６１から取り出すことが可能である。このようにして患者管理データベース６１から取り出された患者の個人情報を端末装置３０の表示手段３２に表示することにより、患者を特定することが可能である。
【００７４】
また、患者の口腔内に装着される人工物（例えば、インプラント）の少なくとも一部を製作するために用いたデータ（例えば、患者の口腔内の画像データやレントゲン写真、患者の口腔内に装着される人工物（例えば、インプラント）の少なくとも一部を製作するための設計データ（例えば、ＣＡＤデータ）など）を患者識別情報に関連付けて人工物品質管理データベース６２内に格納しておくようにしてもよい。これにより、大阪で勤務していた患者が大阪の歯医者で人工物を口腔内に装着してもらった後に、北海道に転勤した場合でも、北海道の歯医者が患者の口腔内に装着された人工物に埋め込まれた電子タグに記憶された患者識別情報に関連付けられた情報（例えば、その人工物の少なくとも一部を製作するために用いたデータ）を参照することが可能になる。
【００７５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【００７６】
本発明は、患者の口腔内に装着される人工物の品質を保証または管理するサービスを実現するためのコンピュータシステム、そのコンピュータシステムにおいて実行される方法およびプログラム等を提供するものとして有用である。
【符号の説明】
【００７７】
１０  コンピュータシステム
２０  インターネット
３０  端末装置
４０  インターフェース部
５０  プロセッサ部
６０  データベース部
６５  メモリ部
６１  患者管理データベース
６２  人工物品質管理データベース
【図１】
2016163689.tif 000003
【図２Ａ】
2016163689.tif 000004
【図２Ｂ】
2016163689.tif 000005
【図３Ａ】
2016163689.tif 000006
【図３Ｂ】
2016163689.tif 000007
【図４】
2016163689.tif 000008
【図５】
2016163689.tif 000009
【図６Ａ】
2016163689.tif 000010
【図６Ｂ】
2016163689.tif 000011
【図６Ｃ】
2016163689.tif 000012
【図６Ｄ】
2016163689.tif 000013
【図７】
2016163689.tif 000014